(57)【要約】【課題】  炊飯器の内面コートを傷つけず、米が崩れた小米を発生させず、手の化粧を水から確実に保護することができる洗米器具に関するものである。【解決手段】  軸２の一端に手の平で軸方向に押圧可能な形状の取っ手３を設け、さらに、前記軸２の残りの端に板状の保持板４Ａを設け、前記保持板４Ａの前記軸２と反対の面に複数の略円筒状のくし５Ａを米粒が嵌ることのない間隔で概ね半分の領域に設け、残りの領域に前記くし５Ａよりも足の短いくし５Ｂを数本設け、前記くし５Ｂをガイドに概ね直方体の弾性体から成る押圧部６Ａを設ける。また、軸２の任意の位置に板状のツバ８を設けてもよい。【選択図】  図１
2006187561.tif 000002
【特許請求の範囲】
【請求項１】
軸（２）の一端に手の平で軸方向に押圧可能な形状の取っ手（３）を設け、さらに、前記軸（２）の残りの端に板状の保持板（４Ｂ）を設け、前記保持板（４Ｂ）の前記軸（２）と反対の面に複数の略円筒状のくし（５Ａ）を米粒が嵌ることのない間隔で設けたことを特長とする洗米器具（１Ｂ）。
【請求項２】
軸（２）の一端に手の平で軸方向に押圧可能な形状の取っ手（３）を設け、さらに、前記軸（２）の残りの端に板状の保持板（４Ａ）を設け、前記保持板（４Ａ）の前記軸（２）と反対の面に複数の略円筒状のくし（５Ａ）を米粒が嵌ることのない間隔で概ね半分の領域に設け、残りの領域に前記くし（５Ａ）よりも足の短いくし（５Ｂ）を数本設け、前記くし（５Ｂ）をガイドに概ね直方体の弾性体から成る押圧部（６Ａ）を設けたことを特長とする洗米器具（１Ａ）。
【請求項３】
前記軸（２）の任意の位置に板状のツバ（８）を設けたことを特長とする請求項１または請求項２記載の洗米器具（１Ａ，１Ｂ）。
【発明の詳細な説明】
【技術分野】
【０００１】  本発明は主に家庭で使用される洗米器具、特に米の研磨洗浄が可能な洗米器具に関するものである。
【背景技術】
【０００２】  従来から洗米は手で研ぎ洗いするのが一般的である。しかし、特に女性で爪にマニキュアをしていたり付け爪をしている場合があり、マニキュア等が剥れるのを防止すべく、しゃもじを利用したり以下の技術が試みられている。
特許文献１には、水に浸した米を容易に掻き回して、米研ぎをすることができるしゃもじが開示されている。
特許文献２には、人の手で擦る効果を狙い、下面に凸状面を形成した押圧研米板を設けた研米洗米具が開示されている。
特許文献３には、操作棒に取り付けられた押圧部を設けた米研ぎ器が開示されている。
【特許文献１】  特開２００１−３４０２４１号公報
【特許文献２】  特開２０００−９３３３１号公報
【特許文献３】  特開２００１−３４６７０１号公報
【発明の開示】
【発明が解決しようとする課題】
【０００３】  背景技術で述べたように、手を直接水に付けることなく米研ぎをするための道具が種々開示されているが、炊飯器の内面コートを傷つけず、米が崩れた小米を発生させず、手の化粧を水から確実に保護することを解決課題とする。
特に、米に過剰な力が加わって崩れた小米は、炊飯時に小米が早く糊化し、部分的に火の通りを悪くして、ご飯の炊きむらを生じさせる原因となることを付記する。
【課題を解決するための手段】
【０００４】  請求項１の洗米器具１Ｂは、軸２の一端に手の平で軸方向に押圧可能な形状の取っ手３を設け、さらに、前記軸２の残りの端に板状の保持板４Ｂを設け、前記保持板４Ｂの前記軸２と反対の面に複数の略円筒状のくし５Ａを米粒が嵌ることのない間隔で設ける。【０００５】  請求項２の洗米器具１Ａは、軸２の一端に手の平で軸方向に押圧可能な形状の取っ手３を設け、さらに、前記軸２の残りの端に板状の保持板４Ａを設け、前記保持板４Ａの前記軸２と反対の面に複数の略円筒状のくし５Ａを米粒が嵌ることのない間隔で概ね半分の領域に設け、残りの領域に前記くし５Ａよりも足の短いくし５Ｂを数本設け、前記くし５Ｂをガイドに概ね直方体の弾性体から成る押圧部６Ａを設ける。【０００６】  請求項３の洗米器具１Ａ，１Ｂは、前述の洗米器具の軸２の任意の位置に板状のツバ８を設ける。
【発明の効果】
【０００７】  請求項１の発明によれば、取っ手３を前後左右に動かすことで底に溜まった米１２Ａ同士やくし５Ａと当たることで適度な押圧効果を与えつつ、また、取っ手３を捩る様に洗米することで、水面に浮ぶ浮遊米をも研米洗浄することができる。【０００８】  請求項２の発明によれば、請求項１の効果に加えて、押圧面６Ｂにより昔ながらの手の平の付け根で押し洗いする感覚を取っ手３から感じつつ研米洗浄できるので、小米を発生させないぎりぎりの圧にコントロールしながら研米洗浄をすることができる。【０００９】  請求項３の発明によれば、請求項１または請求項２の効果に加えて、ツバ８により返り水により手先を濡らすことがなく、マニキュアや付け爪をされている方々の不都合を確実に防止することができる。
【実施例】
【００１０】  請求項１の発明について、図４を用いて説明する。図４は請求項１および請求項３の一部に係わる洗米器具を示す正面図である。
洗米器具１Ｂは、硬質プラスチック製の軸２の一端に手の平で軸方向に押圧可能な略球形の取っ手３を設け、さらに、軸２の残りの端に硬質プラスチック製の板状の保持板４Ｂを設け、この保持板４Ｂの軸２と反対の面に複数のシリコンゴム製の棒状のくし５Ａを領域Ｉよりも領域ＩＩの方が柔らかく、例えば根元をショア硬さで７０°，先端を５０°に形成し、米粒が嵌らない程度の間隔で設けたことにより、取っ手３を前後左右に動かすことで底に溜まった米１２Ａ同士やくし５Ａと当たることで適度な押圧効果を与えつつ、また、取っ手３を捩る様に洗米することで、くし５Ａにより水面に浮ぶ浮遊米をも研米洗浄することができるとともに、フッ素加工を施された炊飯器の内鍋を傷付けない。【００１１】  請求項２の発明について、図１乃至図３および図５を用いて説明する。図１は請求項２および請求項３に係わる洗米器具を示す正面図、図２は図１の上面図、図３は図１の下面図、図５は請求項２または請求項３に係わる洗米器具を用いた洗米事例を示す概念図である。【００１２】  洗米器具１Ａは、軸２の一端に手の平で軸方向に押圧可能な形状の取っ手３を設け、さらに、この軸２の残りの端に板状の保持板４Ａを設け、この保持板４Ａの前記軸２と反対の面に複数のシリコンゴム製の棒状のくし５Ａを米粒が嵌ることのない間隔で概ね半分の領域に設け、残りの領域に前記くし５Ａよりも足の短いくし５Ｂを数本設け、このくし５Ｂをガイドに概ね直方体の手の平の付け根と同程度の柔らかさの弾性体、例えばスポンジゴムから成る押圧部６Ａにα°＝１０°〜３０°の押圧面６Ｂを設けたことにより、請求項１の効果に加えて、押圧部６Ａの押圧面６Ｂにより昔ながらの手の平の付け根で押し洗いする感覚を取っ手３から手の平で感じつつ研米洗浄できるので、小米を発生させることのないぎりぎりの圧にコントロールしながら研米洗浄することができ、簡単に人の手で擦るのと同様に米粒同士がよく擦れあい、米の表面に付着している糠が取れ、研米洗米が効率的にできる。【００１３】  また、仮に軸を通じて米に強い力が加えられようとしても、くし５Ａや押圧面６Ｂは弾性変形して過大な力を吸収緩和するので、米粒の割れを防止することができると同時に、炊飯器の内鍋にコートされているフッ素被膜を傷めないで、安定した洗米ができる。【００１４】  請求項３の発明は、請求項１または請求項２の発明に係わる洗米器具１Ａ，１Ｂの軸２の任意の位置にシリコンゴム等から成る円板状のツバ８を切れ目９により装着可能に設けたことにより、請求項１または請求項２の効果に加えて、ツバ８により返り水による手先の濡れがなく、マニキュアや付け爪をされている方々の不都合を確実に防止することができる。【００１５】  図５は、洗米から水切りまでの一連の工程で使われる器具を配置しており、最良の実施形態と考えられる使用例である。
１Ａは請求項２または請求項３に係わる洗米器具で、矢印は取っ手の前後左右の移動や回転させることを示している。また、点線は押圧面で米１２Ａを研米している状態を示し、この時は水１３の量を減らすと有効である。１０は炊飯器等の内鍋の断面を、１１はフランジ部を示している。１２Ａは洗米されるべき米を、１２Ｂは密度の軽い浮遊米を、１３は水を示しており、水は適宜入れ替えられる。１４は水切り器具で、フランジ部１１に網１５が接するように固定され、手指を濡らさずに洗米・排水できる。
【図面の簡単な説明】
【００１６】
【図１】  請求項２または請求項３に係わる洗米器具を示す正面図である。
【図２】  図１の上面図である。
【図３】  図１の下面図である。
【図４】  請求項１及び請求項３に係わる洗米器具を示す正面図である。
【図５】  請求項２または請求項３に係わる洗米器具を用いた洗米事例を示す概念図である。
【符号の説明】
【００１７】  １Ａ  洗米器具
１Ｂ  洗米器具
２    軸
３    取っ手
４Ａ  保持板
４Ｂ  保持板
５Ａ  くし
５Ｂ  くし
６Ａ  押圧部
６Ｂ  押圧面
７    嵌合部
８    ツバ
９    切れ目
１０    内鍋
１１    フランジ部
１２Ａ  米
１２Ｂ  浮遊米
１３    水
１４    水切り器具
１５    網
【図１】
2006187561.tif 000003
【図２】
2006187561.tif 000004
【図３】
2006187561.tif 000005
【図４】
2006187561.tif 000006
【図５】
2006187561.tif 000007